(57)【要約】重力をエネルギーに変換するための装置。本装置は、ローター（１）を備えている。ローターは、第１の外側チャンバ（４）と、第２の外側チャンバ（５）と、ケーシング（４０）とを含んでいる。ピストン（３）が、第１の外側チャンバ（４）と、第１の外側チャンバの上方の第２の外側チャンバ（５）との間のケーシング内に、滑動式に受け入れられる。ピストンが第１の外側チャンバの方へ向かってケーシング内を滑動すると、変位流体（７）が、第１の外側チャンバから流出して第２の外側チャンバに流入し、それによって、第２の外側チャンバが、第１の外側チャンバより重くなる。第２の外側チャンバが第１の外側チャンバより下になるように、ローター（１）を回転させ得るピボット（１２）を設ける。ピボットと平行に、ローターとともに回転し得る軸（１４）を設ける。ジェネレーター（１５）を軸に連結する。
2007501358.tif 000002
【特許請求の範囲】
【請求項１】
重力をエネルギーに変換するための装置であって、
上部および下部を含むローターと、
ジェネレーターと、
を備え、
前記ローターは、さらに、ケーシングと、下方空洞部、および前記下方空洞部と流体連通した上方空洞部と、前記下方空洞部と前記上方空洞部との間を滑動するように前記ケーシング内に受け入れられるピストンであって、当該ピストンが前記ケーシング内を前記下方空洞部へ向かって滑動すると、変位流体が、前記下方空洞部から流出して前記上方空洞部へ流入して、それにより、前記上部が、前記下部よりも重くなるピストンと、前記上部が前記下部よりも下になるように、前記ローターを回転可能とするピボットと、前記ピボットに平行であり前記ローターとともに回転し得る軸と、を含み、
前記ジェネレーターは前記軸に連結されている装置。
【請求項２】
少なくとも２つのローターを含む請求項１に記載の装置。 
【請求項３】
前記少なくとも２つのローターは、一列に連結される請求項２に記載の装置。
【請求項４】
前記少なくとも複数個のローターが、連結部に連結される請求項２に記載の装置。
【請求項５】
前記ジェネレーターは、発電機である請求項１に記載の装置。
【請求項６】
前記下方空洞部は、第１のブラダを含み、前記上方空洞部は、第２のブラダを含み、前記変位流体は、前記ピストンが滑動すると、前記第１のブラダと前記第２のブラダとの間を流れる請求項１に記載の装置。
【請求項７】
前記ピストンは、複数の圧縮プレートを含む請求項１に記載の装置。
【請求項８】
前記圧縮プレート同士の間に逆変位流体をさらに含む請求項７に記載の装置。
【請求項９】
第１の内側チャンバと、前記第１の内側チャンバと流体連通した第２の内側チャンバとをさらに備え、前記ピストンの滑動に応じて、前記逆変位流体は、前記第１の内側チャンバと前記第２の内側チャンバとの間を流れる請求項８に記載の装置。
【請求項１０】
前記第１の内側チャンバは、第１のブラダを含み、前記第２の内側チャンバは、第２のブラダを含む請求項９に記載の装置。
【請求項１１】
前記ピストンは、おもりを含む請求項７に記載の装置。
【請求項１２】
前記おもりは、前記圧縮プレート同士の間にある請求項１１に記載の装置。
【請求項１３】
前記ピストンは、前記上方空洞部と前記下方空洞部との間に移送管を含む請求項１に記載の装置。
【請求項１４】
前記ローターは、摩擦クラッチにより前記ジェネレーターに連結される請求項１に記載の装置。
【請求項１５】
前記ローターは、前記軸に平行に延びている請求項１に記載の装置。
【請求項１６】
前記軸と前記ジェネレーターとの間に連結部をさらに備える請求項１に記載の装置。
【請求項１７】
ローターの制御器、および前記ローターの回転を抑制し得る抑制装置をさらに備える請求項１に記載の装置。
【請求項１８】
前記軸は、摩擦クラッチにより前記ローターに連結されている請求項１に記載の装置。
【請求項１９】
前記摩擦クラッチは、一方向の摩擦クラッチである請求項１８に記載の装置。
【請求項２０】
重力をエネルギーに変換するための装置であって、
第１の端部および第２の端部を含むローターと、
ジェネレーターと、
を備え、
前記ローターは、さらに、前記第１の端部内の第１の空洞部と、前記第２の端部内にあって前記第１の空洞部と流体連通する第２の空洞部と、前記第１の空洞部と前記第２の空洞部との間のピストンであって、当該ピストンが重力に応じて前記第１の端部へ向かって滑動すると、変位流体は、前記第１の空洞部から流出して前記第２の空洞部へ流入し、それにより、前記ローターが、前記第２の端部よりも重くなるピストンと、前記第２の端部が重力に応じて前記第１の端部よりも下の位置へ回転するように、前記ローターを回転可能とするピボットと、前記ローターとともに回転し得る軸と、を含み、
前記ジェネレーターは前記軸に連結されている装置。
【請求項２１】
少なくとも２つのローターを含む請求項２０に記載の装置。 
【請求項２２】
前記少なくとも２つのローターは、一列に連結される請求項２１に記載の装置。
【請求項２３】
前記少なくとも複数個のローターが、連結部に連結される請求項２１に記載の装置。
【請求項２４】
前記ジェネレーターは、発電機である請求項２０に記載の装置。
【請求項２５】
前記第１の空洞部は、第１のブラダを含み、前記第２の空洞部は、第２のブラダを含み、前記変位流体は、前記ピストンが滑動すると、前記第１のブラダと前記第２のブラダとの間を移動する請求項２０に記載の装置。
【請求項２６】
前記ピストンは、複数の圧縮プレートを含む請求項２０に記載の装置。
【請求項２７】
前記圧縮プレート同士の間に逆変位流体をさらに含む請求項２６に記載の装置。
【請求項２８】
第１の内側チャンバと、前記第１の内側チャンバと流体連通した第２の内側チャンバとをさらに備え、前記ピストンの滑動に応じて、前記逆変位流体は、前記第１の内側チャンバと前記第２の内側チャンバとの間を流れる請求項２７に記載の装置。
【請求項２９】
前記第１の内側チャンバは、第１のブラダを含み、前記第２の内側チャンバは、第２のブラダを含む請求項２８に記載の装置。
【請求項３０】
前記ピストンは、おもりを含む請求項２８に記載の装置。
【請求項３１】
前記おもりは、前記圧縮プレート同士の間にある請求項３０に記載の装置。
【請求項３２】
前記ピストンは、前記上方空洞部と前記下方空洞部との間に移送管を含む請求項２０に記載の装置。
【請求項３３】
前記ローターは、摩擦クラッチにより前記ジェネレーターに連結される請求項２０に記載の装置。
【請求項３４】
前記ローターは、前記軸に平行に延びている請求項２０に記載の装置。
【請求項３５】
前記軸と前記ジェネレーターとの間に連結部をさらに備える請求項２０に記載の装置。
【請求項３６】
ローターの制御器、および前記ローターの回転を抑制し得る抑制装置をさらに備える請求項２０に記載の装置。
【請求項３７】
前記軸は、摩擦クラッチにより前記ローターに連結されている請求項２０に記載の装置。
【請求項３８】
前記摩擦クラッチは、一方向の摩擦クラッチである請求項３７に記載の装置。
【請求項３９】
重力を回転エネルギーに変換するためのローターであって、
第１の端部および第２の端部と、
前記第１の端部内の第１の空洞部と、
前記第２の端部内にあって、前記第１の空洞部と流体連通した第２の空洞部と、
前記第１の端部と前記第２の端部との間の中央ピボット部と、
前記第１の端部と第２の端部との間のピストンであって、当該ピストンは一定の重心であり、前記ローターはローターの重心が可変であり、前記ピストンが前記第１の端部と第２の端部との間を動くと、前記前記ピストンの重心と前記ローターの重心とは、前記中央ピボット部を挟んで対向した側になる前記ピストンと、
前記中央ピボット部に平行な軸と、
を備えるローター。 
【請求項４０】
前記第１の空洞部は、第１のブラダを含み、前記第２の空洞部は、第２のブラダを含み、前記変位流体は、前記ピストンが滑動すると、前記第１のブラダと前記第２のブラダとの間を移動する請求項３９に記載のローター。
【請求項４１】
前記ピストンは、複数の圧縮プレートを含む請求項３９に記載のローター。
【請求項４２】
前記圧縮プレート同士の間に逆変位流体をさらに含む請求項４１に記載のローター。
【請求項４３】
第１の内側チャンバと、前記第１の内側チャンバと流体連通した第２の内側チャンバとをさらに備え、前記ピストンの滑動に応じて、前記逆変位流体は、前記第１の内側チャンバと前記第２の内側チャンバとの間を流れる請求項４２に記載のローター。
【請求項４４】
前記第１の内側チャンバは、第１のブラダを含み、前記第２の内側チャンバは、第２のブラダを含む請求項４３に記載のローター。
【請求項４５】
前記ピストンは、おもりを含む請求項４１に記載のローター。
【請求項４６】
前記おもりは、前記圧縮プレート同士の間にある請求項４５に記載の装置。
【請求項４７】
前記ピストンは、前記第１の空洞部と前記第２の空洞部との間に移送管を含む請求項３９に記載のローター。
【請求項４８】
前記ローターは、前記軸に平行に延びている請求項３９に記載のローター。
【発明の詳細な説明】
【技術分野】
【０００１】
本発明は、重力を使用可能なエネルギーに変換するための装置および方法に関する。さらに詳細には、本発明は、重力エネルギーを回転エネルギーに変換して、それにより有用な目的のために回転エネルギーを利用し得る、装置および方法に関する。
【背景技術】
【０００２】
エネルギーの生成は、文明の存続および発達に不可欠である。風、潮の変動および重力などの枯渇しない資源からのエネルギーを利用する要望が依然としてある。化石燃料などの枯渇の可能性がある資源を使用することが実質的に減少するまで、この要望は、存続するだろう。
【０００３】
潮の変動からのエネルギーの利用が、長年にわたって探られてきた。この方法には、海と近接していなければならないことおよび海水に腐蝕性があることから、限界がある。摩擦などの機械損失を減少させることが、効率的なエネルギー変換に重大であることは、当業者に明らかである。海水の腐食性は、この要望と相容れない。
【０００４】
風のエネルギーを使用する方法が、広く用いられている。風は変化しやすいため、この方法には、限界がある。風の性質は予測できないので、風に基づいたどんなエネルギー生成システムにも、補助エネルギー源を具える必要がある。強風の場合、風に基づくエネルギー生成システムは、動力を最大量生成せずに、一般には回転により風に応じることになり得る。これは、当該技術においてしばしば溢れ出し（ＳＰＩＬＬＩＮＧ）と呼ばれる。このようにエネルギーを生成しない回転が行われることによって、様々な構成部品が必要以上に摩耗してしまう。
【０００５】
引力からのエネルギーを利用することは、非常に有利になるだろう。引力は、常時あらゆる状態において比較的一定である。このため、エネルギー生成システムが、地形、天候、または地理および政治システムに関する事象などの制御できない他の事象に関係なく、実質的に普遍的になり得る。引力を利用することは、人類に非常に役立つだろう。
【０００６】
引力を取り込む試みは、完全には成功しなかった。不均衡な回転システムが、米国特許第６，３６３，８０４号、第５，９２１，１３３号および第４，３３３，５４８号明細書に記載されている。可動部および係合が行われる歯車の数が多いと、これらのシステムの効率が下がる。システム全体の効率を上げるためには、可動部の数を少なくすることが望ましい。流体の流量に基づくシステムが、米国特許第３，０２８，７２７号明細書に記載されている。下降するおもりにより回転する、ねじを切ったロッドを利用する方法が、米国特許第６，２２０，３９４号明細書に記載されている。
【０００７】
重力を効率的に利用することが、依然として望まれている。この目的は、本発明により達成された。
【発明の開示】
【発明が解決しようとする課題】
【０００８】
重力からのエネルギーを利用する方法を提供することが、本発明の目的である。
【０００９】
補助電源を必要とせずに効率的にエネルギーを利用することが、本発明の別の目的である。
【課題を解決するための手段】
【００１０】
本発明の特定の特徴は、本発明の装置が簡単になること、およびここに示す目的を達成するのに必要な可動部の数が最小限になることである。
【００１１】
別の特定の特徴は、地形または環境の問題とは無関係のどんな場所でも本発明を用い得ることである。
【００１２】
これらおよび他の利点は、当業者に理解されるように、重力をエネルギーに変換するための装置に提供される。本装置は、ローターを備えている。ローターは、上部、下部およびケーシングを含んでいる。下方空洞部および上方空洞部は、相互に流体連通させて設けられている。ピストンは、下方空洞部と上方空洞部との間のケーシング内に滑動式に受け入れられている。ピストンが下方空洞部へ向かってケーシング内を滑動すると、変位流体は、下方空洞部から流出し上方空洞部に流入し、それにより、上部が、下部よりも重くなる。上部が下部より下になるように、ローターが回転し得るピボットが、提供される。ピボットと平行であり、ローターとともに回転し得る軸が、提供される。ジェネレーターが、連結されている。
【００１３】
重力をエネルギーに変換するための装置における別の実施形態が、提供される。本装置は、ローターを備えている。ローターは、第１の端部および第２の端部を含んでいる。第１の空洞部は、第１の端部内にあり、また、第２の空洞部は、第２の端部内にある。第２の空洞部は、第１の空洞部と流体連通している。ピストンは、第１の空洞部と第２の空洞部との間にあって、第１の端部の方への重力に応じて滑動して、変位流体が、第１の空洞部から流出し第２の空洞部に流入する。質量の位置が変化することによって、ローターは、第２の端部が重くなる。ローターは、第２の端部が重力に応じて第１の端部より下の位置へ回転するように、ピボットを中心に回転し得る。ローターとともに回転し得る回転軸は、ジェネレーターに連結されている。
【００１４】
しかしながら、重力を回転エネルギーに変換するためのローターにおける別の実施形態が、提供される。ローターは、第１の端部および第２の端部を含んでいる。第１の空洞部が、第１の端部内にあり、第２の空洞部が、第２の端部内にある。第２の空洞部は、第１の空洞部と流体連通している。中央ピボット部が、第１の端部と第２の端部との間にある。ピストンが、第１の端部と第２の端部との間にある。ピストンの重心は、一定であり、前記ローターの重心は、変化し得る。ピストンが、第１の端部と第２の端部との間を移動すると、ピストンの重心およびローターの重心は、中央ピボット部を挟んで対向した側になる。軸が、中央ピボット部と平行になっている。
【発明を実施するための最良の形態】
【００１５】
本願の発明者は、鋭意研究により、引力からのエネルギーを効率よく利用し得る装置を開発した。本発明者は、引力からエネルギーを生成するシステムに、そのような本発明の装置を組み込む方法も開発した。
【００１６】
本発明を、本願の一部分をなす図面に関連して記載する。種々の図面では、同様の要素に同様の番号を付けている。
【００１７】
本発明の実施形態の断面図を用意し、図１および図２に関連して説明を行う。  図１は、引力に対する応答前の本発明の実施形態を示す。簡略化のために、重力は、各図の底の方向を向いている。
【００１８】
図１では、全体を１で示すローターが、外側シェル２および内側ピストン３を含んでいる。ピストンは、外側シェル内を滑動しながら移動し得る。外側シェルとピストンとの間は可変チャンバであり、相互に関連する容積を選択的な対としている。一対の外側チャンバ４および５が、輸送カラム６を介して連結されている。外側の変位流体７は、第１の外側チャンバ４と第２の外側チャンバ５との間を輸送カラム６を通って自由に移動する。一対の内側チャンバ８および９は、第１の内側チャンバ８と第２の内側チャンバ９との間の流路を介して連結されている。逆変位流体１１が、第１の内側チャンバ８と第２の内側チャンバ９との間を、流路１０を介して自由に移動する。変位流体は、逆変位流体の密度よりも密度が高い。
【００１９】
図１に示した配置では、ローターは、第１の外側チャンバ４が、変位流体で満たされ、また、第２の内側チャンバ９は、逆変位流体で満たされる。引力によって、ピストンは、下向きに移動して、変位流体が、第１の外側チャンバ４から、輸送カラム６を通って、第２の外側チャンバ５へ流れる。図２に示したように、ピストンが最も下まで移動すると、第２の外側チャンバ５には、変位流体が入り、また、第２の内側チャンバは、実質的に狭められる。図２に示すように、第１の外側チャンバ４は、実質的に狭められ、第１の内側チャンバ８には、逆変位流体が入る。逆変位流体よりも変位流体の方が密度が高いため、ローターは、底部よりも上部の方が重い。ローターは、自由に回転し得ることにより、自然に、中心に配置された連結部１２の周りを回転する。図１に示した構成は、完全に上下逆の位置になると、再度、第１の内側チャンバと第１の外側チャンバとが上になる。
【００２０】
内側チャンバは、相互に流体連通しており、また、外側チャンバは、相互に流体連通している。内側チャンバが、外側チャンバと流体連通していないことは明らかだろう。１つの、任意だが好ましいシール１３が、外側チャンバから内側チャンバを分けるために設けられている。シールは、ピストンの上下においてチャンバを隔てるように一般に使用されるようなピストンの周りのリングであり得る。
【００２１】
本発明の実施形態を図３に関連してさらに説明する。ローター１およびカラー１２は、前に説明したように、駆動軸１４に取り付けられ、駆動軸１４は、ローターの回転と相互に関連して回転する。駆動軸１４は、次にジェネレーター１５に連結されて、ジェネレーター１５は、連結された軸の回転に応じてエネルギーを生成する。リード１６および１７は、選択された場所へエネルギーを輸送する。
【００２２】
本発明を利用したシステムを図４に示す。図４では、多数のローター１が、直線状に直列に配置され、ジェネレーター１５に取り付けられている。ジェネレーターは、リード１６および１７によりエネルギーを輸送する。各ローター１は、少なくとも１つの他のローターとは異なる角度配置であることが好ましい。第２の駆動軸２０が、ローターのアセンブリからジェネレーターに回転運動を伝達する。任意だが好ましい軸の中間部１８が、設けられている。軸の中間部１８は、摩擦クラッチを含む場合があり、それにより、第１の駆動軸２１が回転することによって、逆回転を自由回転として、１つの回転方向にのみ相互に関連づけられる。第１の駆動軸２１は、ローター１の列を貫通する連続した軸、あるいはジェネレーターへ向かって連続した次の軸へ回転エネルギーを伝達する、連続した軸であり得る。第１の駆動軸２１および第２の駆動軸２０は、連続した軸であり得る。
【００２３】
連続したローターの数は、各ローターのサイズ、および質量移動に必要なサイクル時間により異なる。一実施形態では、ローターは、各ローターが、摩擦クラッチまたは同様の装置により別々に駆動軸に回転を与えることで、別々に回転する。独立した回転によりさらに多くの制御を行えることから、そのような回転は、望ましい。一実施形態では、軸の中間部１８は、軸の回転速度計を備え、それによって、軸の回転速度をモニターし得る。軸の中間部内の制御器は、通信リンク２３によって、各ローター１のために、ローター制御器（２２）を制御し得る。各ローター制御器（２２）は、抑制装置２４を備え、抑制装置２４は、好ましくはローターの表面と物理的に係合することにより、ローターの回転を抑制し得る。ローター制御器は、ローター内における完全な質量移動を保証するために、またシステムの効率を最適化するために、各ローターの解放を遅らせることができる。ローター制御器およびローター抑制装置は、好ましくは電気的に制御されるが、カムシャフトを利用した機械制御は、本発明の範囲内にある。電気的制御は、標準的なデジタル制御方法によってよりよく制御でき、また可動部の数が少なくてすむことから、部分的に、好ましい。ローターアセンブリ内のローターは、すべて同じサイズにし得るか、あるいは、適応性を高めよりよく制御するためにサイズを変更し得る。
【００２４】
ローターは、システムのパラメータとエネルギーの必要性とに基づいて、制御されることが好ましい。好ましい実施形態では、各ローターは、摩擦クラッチまたは同様の装置を有する駆動軸に連結される。ローターは、回転が、ほぼ一定であり、それにより制御器があまり必要でなくなるように、構成され得る。完全な質量移動を保証するために、制御器が、別々に各ローターを遅らせることが、さらに好ましい。各ローターは、完全に質量の移動が行われても減少することのない位置エネルギー源である。ローターが多数ある場合、位置エネルギーは、エネルギーの必要に応答する要求があると、解放され得る。本明細書における教示に基づいて、当該技術の当業者の１人であれば、本出願に基づいて最適な制御を決定し得る。
【００２５】
図５に本発明の実施形態を示す。図５では、ローター１は、第１の外側チャンバ４および第２の外側チャンバ５を備えている。各外側チャンバは、折り畳み式ブラダ３０内に入れられている。外側チャンバは、輸送カラム６により相互に流体連通している。内側チャンバ８および９は、シェル２の内部空洞３１により流体連通している。シェル内２に任意の通孔３３を設けることによって、流体を、周囲のものと容易に入れ替え得る。逆変位流体が空気であるとき、通孔は特に適切になり得る。図６に関して、軸２１および摩擦クラッチ機構をさらによく説明する。
【００２６】
適切な摩擦クラッチを図６に示す。駆動軸２１は、少なくとも１つのラチェットカム３４を含む。凹所３７内に後退可能に受け入れられるピン３５が、軸を回転させるために、ラチェットカムの駆動面３６と係合する。軸がローターよりも速く回転する場合、すなわちローターが空転する場合、カム面３６によりピンが凹所３７内へ押し込まれると、軸が回転し、駆動軸とローターとの連結が解除される。ばね３８が、ピンを駆動面と係合する位置になるように突出させる。ここで使用している「摩擦クラッチ」という用語は、当該技術において一般的な説明に従って使用している。特に好ましいのは、後退可能に係合し得る連結であり、さらに好ましいのは、一方向への連結であって、一方向に回転が行われることによって、２つの構成要素が連結され、また、２つの構成要素の１つが後退することによって、回転が解除される。
【００２７】
本発明のローターの一実施形態を、図７の、部分的に切り取った断面図に示す。図７では、全体を１で示すローターは、外側ケーシング４０を含む。外側ケーシングの形状は、特に限定していない。円筒形は、製造が簡単になるので好ましい形状である。外側ケーシングの内側に固定されているのは、２つの作動チャンバ４１および４２と、中央に配置された任意のガイドチャンバ４３とである。これらの作動チャンバは、実質的に同一の容積であることが好ましい。ピストン４４は、一対の圧縮プレート４５および４６を備え、ここに述べるようにローターを作動させることによって、これらの圧縮プレートが、変位流体を一方の作動チャンバから他方の作動チャンバへ押し進める。中央に配置されたおもり４７が、前述のように重力に応じて、ガイドチャンバ４３内で摺動する。移送管４８が、作動チャンバ同士を連結しており、ピストンに重力の力がかかることによって、下方のチャンバが圧縮プレートにより圧縮されることに応じて、変位流体が、一方の作動チャンバから他方の作動チャンバへ横断し得る。２枚の圧縮プレートとおもりとは、好ましくは移送管により一方から他方へ連結される。ガイドチャンバと、各作動チャンバの、圧縮プレートの内側の部分とが、管４９により連結されることが好ましい。それらの管によって、ピストン移動の制限が回避され得るように、逆変位流体が、作動チャンバの内側の部分とガイドチャンバとの間を自由に流れて、このピストン移動は、逆変位流体の圧縮、乱流、層流による制限、または逆変位流体の流れで質量移動が制限されるどんな条件によっても制限される。好ましくは外側ケーシング４０に取り付けられた駆動軸５０は、前述のようにジェネレーターに連結されている。駆動軸と平行なアイドラーシャフト５１が、ローターを支持し得る。
【００２８】
ローターの別の実施形態を図８の断面図に示す。図８では、ローターは、外側ケーシング４０を備える。外側ケーシングの内側には、任意のおもり４７から等距離に一対の圧縮プレート４５および４６を含むピストンがある。圧縮プレートおよびおもりは、移送管４８により取り付けられることが好ましい。必要に応じて、安定化のために、追加の安定化ロッド５２を使用し得る。中央のおもり４７は、逆変位流体により生じ得るあらゆる抵抗を回避するために、おもりを貫通する外側の溝または孔などの流通装置５３を含んでいる。各圧縮プレートとエンドキャップ５６との間のブラダ５４および５５が、移送管４８と連続したチャンバを形成して、その間に、変位流体が移送され得る。１つのブラダが圧縮されると、別のブラダが比例して膨脹することが、本説明から明らかだろう。おもりの形状は、限定していない。外側ケーシングの内側との接触を最小限にする形状が、摩擦を減少させるために好ましい。駆動軸５０およびアイドラーシャフト５１によって、軸受、または当該技術において既知の同様の摩擦を減少させる手段内において、ローターが、回転するように掛けられ得る。
【００２９】
好ましいローターを図９に示す。図９では、ローター１は、駆動軸１４と平行に延びている。駆動軸と平行に延びるローターは、バランスの中心を、回転を開始するのに十分ずらす必要があり、その回転量が最小限になるので、好ましい。ローターが長く、狭くなると、ピストンおよび流体が適時に質量移動する限界が広がる。
【００３０】
本発明のローターは、単一のローターが１つのジェネレーターを回転させる単独での使用、または多数のローターが１つのジェネレーターを回転させる多数での使用を行い得る。多数のローターを含む本発明の実施形態の概略を図１０に示す。図１０では、駆動軸６５がそれぞれ取り付けられたローターアセンブリ６３が、連結部６０に連結されている。連結部６０は、ローターアセンブリから回転エネルギーを受け取り、単一の第２の駆動軸６１に合成される回転エネルギーを転送し、この第２の駆動軸６１は、次にジェネレーター１５に連結されている。１つのジェネレーターが多数のローターから回転エネルギーを受け取る別の実施形態を図１１に示す。共通の軸が出力するように、多数の回転軸への連結部を構成することは、当該技術における当業者においては望ましい。ローターアセンブリは、１つまたはそれ以上のローターを含む場合がある。
【００３１】
ピストンの機能は、下部チャンバから上部チャンバへ流体を移すことである。したがって、ピストンのおもりは、圧縮流体の重量よりも重くなければならない。ピストンのおもりが重くなると、回転装着部に生じる摩擦も大きくなるので、重量を重くし過ぎる必要はなく、またはそうすることは望ましくない。必要があれば、回転が開始されるとローターの下部に向かってピストンのおもりが移動し、したがって、ピストンは、変位流体に対するカウンターバランスになる。この理由のために、質量が回転軸にできるだけ近くにおいて移動するように、ピストンの質量が中心に配置されることが、最も望ましい。ローターおよびピストンの、アスペクト比または断面に対する高さは、限定しておらず、必要とされる空間、動力、ローターの数などのシステムの要求に基づいて決定される。
【００３２】
移動した変位流体の総重量が、移動した逆変位流体の重量より重いことを除いて、変位流体および逆変位流体は、限定していない。変位流体および逆変位流体の両方は、流動性のよい材料から選択されることが好ましい。重量の重い変位流体が好ましい。流体は、安定剤、界面活性剤などの、当該技術において既知の種々の成分を含み得る。特に適切な変位流体は、水、水銀および低粘度高密度の有機溶剤を含んでいる。水は、他のものの間では、コストおよび有効であることから、最も好ましい変位流体である。特に適切な逆変位流体は、ガス、特に空気である。
【００３３】
ジェネレーターは、回転エネルギーを利用可能なエネルギーの形態に変換するのに適する任意の装置である。特に好ましいジェネレーターは、電気または圧力を生成する。発電機は、周知であって、ここでさらに詳細を述べる必要はない。圧力ジェネレーターには、さらに作業を行うことに、流れる流体が使用される水ポンプ、油圧ポンプ、空気ポンプ、およびその他同種のものなどの流体ポンプがあることが知られている。発電機が、最も好ましい。
【００３４】
ブラダの構成材料は、質量移動を妨げずに、ブラダが拡開したり折り畳まれたりするのに十分な可撓性があることを除けば、限定はない。ブラダを取り付ける方法もまた、本発明には重要ではない。
【００３５】
流体連通は、本発明の前後関係では、１つの近傍から他方の近傍へ流体を移送する機構に特有である。一般に、流体が入る領域は、相補的な部分内の一定の容積を有し、これらの相補的な部分では、一方が膨張すると同時にもう一方が収縮し、流体連通は、それらの間の、好ましくは一定の容積の部分において行われる。
【００３６】
本発明を、好ましい実施形態について特に強調して説明してきた。さらに詳細には、本明細書に添付した特許請求の範囲においてさらに詳細に述べる、本発明の範囲を逸脱せずに、他の実施形態、変更および構成を用い得ることが、本明細書における教示から理解されるだろう。
【図面の簡単な説明】
【００３７】
【図１】図１は、重力への応答前の、本発明の一実施形態の断面図である。
【図２】重力への応答後、その応答をエネルギーへ変換する前の、図１の実施形態の断面図である。
【図３】ジェネレーターに連結された単一のローターの概略図である。
【図４】多数の装置が発電機に連続して連結された、本発明の一実施形態の概略図である。
【図５】本発明の一実施形態の断面図である。
【図６】本発明の一実施形態の駆動機構の断面図である。
【図７】本発明の好ましいローターの断面図である。
【図８】本発明の好ましいローターの断面図である。
【図９】本発明の好ましいローターの斜視図である。
【図１０】本発明の機構の概略図である。
【図１１】本発明の機構の概略図である。
【図１】
2007501358.tif 000003
【図２】
2007501358.tif 000004
【図３】
2007501358.tif 000005
【図４】
2007501358.tif 000006
【図５】
2007501358.tif 000007
【図６】
2007501358.tif 000008
【図７】
2007501358.tif 000009
【図８】
2007501358.tif 000010
【図９】
2007501358.tif 000011
【図１０】
2007501358.tif 000012
【図１１】
2007501358.tif 000013
【手続補正書】
【提出日】平成17年5月7日(2005.5.7)
【手続補正１】
【補正対象書類名】特許請求の範囲
【補正対象項目名】請求項１
【補正方法】変更
【補正の内容】
【請求項１】
重力をエネルギーに変換するための装置であって、
上部および下部を含むローター（１）と、
ジェネレーター（１５）と、
を備え、
前記ローターは、さらに、ケーシング（４０）と、下方空洞部（４）、および前記下方空洞部と流体連通した上方空洞部（５）と、前記下方空洞部と前記上方空洞部との間を滑動するように前記ケーシング内に受け入れられるピストン（３）であって、当該ピストンが前記ケーシング内を前記下方空洞部へ向かって滑動すると、変位流体（７）が、前記下方空洞部から流出して前記上方空洞部へ流入して、それにより、前記上部が、前記下部よりも重くなるピストン（３）と、前記上部が前記下部よりも下になるように、前記ローターを回転可能とするピボット（１２）と、前記ピボットに平行であり前記ローターとともに回転し得る軸（１４）と、
を含み、
前記ジェネレーターは前記軸に連結されている装置。
【手続補正２】
【補正対象書類名】特許請求の範囲
【補正対象項目名】請求項２０
【補正方法】変更
【補正の内容】
【請求項２０】
重力をエネルギーに変換するための装置であって、
第１の端部および第２の端部を含むローター（１）と、
ジェネレーター（１５）と、
を備え、
前記ローターは、さらに、前記第１の端部内の第１の空洞部（４）と、前記第２の端部内にあって前記第１の空洞部と流体連通する第２の空洞部（５）と、前記第１の空洞部と前記第２の空洞部との間のピストン（３）であって、当該ピストンが重力に応じて前記第１の端部へ向かって滑動すると、変位流体（７）は、前記第１の空洞部から流出して前記第２の空洞部へ流入し、それにより、前記ローターが、前記第２の端部よりも重くなるピストン（３）と、前記第２の端部が重力に応じて前記第１の端部よりも下の位置へ回転するように、前記ローターを回転可能とするピボット（１２）と、前記ローターともに回転し得る軸（１４）と、を含み、
前記ジェネレーター（１５）は前記軸に連結されている装置。
【手続補正３】
【補正対象書類名】特許請求の範囲
【補正対象項目名】請求項３９
【補正方法】変更
【補正の内容】
【請求項３９】
重力を回転エネルギーに変換するためのローター（１）であって、
第１の端部および第２の端部と、
前記第１の端部内の第１の空洞部（４）と、
前記第２の端部内にあって、前記第１の空洞部と流体連通した第２の空洞部（５）と、
前記第１の端部と前記第２の端部との間の中央ピボット部（１２）と、
前記第１の端部と第２の端部との間のピストン（３）であって、当該ピストンは一定の重心であり、前記ローターはローターの重心が可変であり、前記ピストンが前記第１の端部と第２の端部との間を動くと、前記前記ピストンの重心と前記ローターの重心とは、前記中央ピボット部を挟んで対向した側になるピストン（３）と、
前記中央ピボット部に平行な軸（１４）と、
を備えるローター。
【手続補正４】
【補正対象書類名】明細書
【補正対象項目名】０００６
【補正方法】変更
【補正の内容】
【０００６】
引力を取り込む試みは、完全には成功しなかった。不均衡な回転システムが、米国特許第６，３６３，８０４号、第５，９２１，１３３号および第４，３３３，５４８号明細書に記載されている。可動部および係合が行われる歯車の数が多いと、これらのシステムの効率が下がる。これらのシステムの効率を上げるためには、可動部の数を少なくすることが望ましい。システム全体の効率を上げるためには、可動部の数を少なくすることが望ましい。流体の流量に基づくシステムが、米国特許第３，０２８，７２７号明細書に記載されている。下降するおもりにより回転する、ねじを切ったロッドを利用する方法が、米国特許第６，２２０，３９４号明細書に記載されている。米国特許第４，５０９，３２９号明細書には、流体が空洞部同士の間を移動することは記載されていない。
【手続補正書】
【提出日】平成18年2月6日(2006.2.6)
【手続補正１】
【補正対象書類名】特許請求の範囲
【補正対象項目名】請求項１
【補正方法】変更
【補正の内容】
【請求項１】
重力をエネルギーに変換するための装置であって、
上部および下部を含み平衡の中心が片寄るローター（１）と、
ジェネレーター（１５）と、
を備え、
前記ローターは、さらに、ケーシング（４０）と、下方空洞部（４）、および前記下方空洞部と流体連通した上方空洞部（５）と、前記下方空洞部と前記上方空洞部との間を滑動するように前記ケーシング内に受け入れられるピストン（３）であって、当該ピストンが前記ケーシング内を前記下方空洞部へ向かって滑動すると、変位流体（７）が、前記下方空洞部から流出して前記上方空洞部へ流入して、それにより、前記上部が、前記下部よりも重くなるピストン（３）と、前記上部が前記下部よりも下になるように、前記ローターを回転可能とするピボット（１２）と、前記ピボットに平行であり前記ローターとともに回転し得る軸（１４）と、
を含み、
前記ジェネレーターは前記軸に連結されている装置。
【手続補正２】
【補正対象書類名】特許請求の範囲
【補正対象項目名】請求項２０
【補正方法】変更
【補正の内容】
【請求項２０】
重力をエネルギーに変換するための装置であって、
第１の端部および第２の端部を含み平衡の中心が片寄るローター（１）と、
ジェネレーター（１５）と、
を備え、
前記ローターは、さらに、前記第１の端部内の第１の空洞部（４）と、前記第２の端部内にあって前記第１の空洞部と流体連通する第２の空洞部（５）と、前記第１の空洞部と前記第２の空洞部との間のピストン（３）であって、当該ピストンが重力に応じて前記第１の端部へ向かって滑動すると、変位流体（７）は、前記第１の空洞部から流出して前記第２の空洞部へ流入し、それにより、前記ローターが、前記第２の端部よりも重くなるピストン（３）と、前記第２の端部が重力に応じて前記第１の端部よりも下の位置へ回転するように、前記ローターを回転可能とするピボット（１２）と、前記ローターともに回転し得る軸（１４）と、を含み、
前記ジェネレーター（１５）は前記軸に連結されている装置。
【手続補正３】
【補正対象書類名】特許請求の範囲
【補正対象項目名】請求項３９
【補正方法】変更
【補正の内容】
【請求項３９】
重力を回転エネルギーに変換するための、平衡の中心が片寄るローター（１）であって、
第１の端部および第２の端部と、
前記第１の端部内の第１の空洞部（４）と、
前記第２の端部内にあって、前記第１の空洞部と流体連通した第２の空洞部（５）と、
前記第１の端部と前記第２の端部との間の中央ピボット部（１２）と、
前記第１の端部と第２の端部との間のピストン（３）であって、当該ピストンは一定の重心であり、前記ローターはローターの重心が可変であり、前記ピストンが前記第１の端部と第２の端部との間を動くと、前記前記ピストンの重心と前記ローターの重心とは、前記中央ピボット部を挟んで対向した側になるピストン（３）と、
前記中央ピボット部に平行な軸（１４）と、
を備えるローター。
【国際調査報告】
2007501358.tif 000014
2007501358.tif 000015